(57)【要約】      （修正有）【課題】小さな出力で導体片を切断できる電気回路遮断装置を提供する。【解決手段】ハウジング１０内に形成された筒状空間１３に、点火器２０、棒状発射体４０、電気回路の一部を形成させるための導体片５０が配置され、ハウジングの第２端部６２と導体片の間に絶縁閉鎖空間６０を有する。導体片は、両端側の第１接続部５１、第２接続部５２と中間の切断部５３からなり、切断部が棒状発射体と絶縁閉鎖空間の間に配置されている。絶縁閉鎖空間の開口部の幅（Ｗ１）と棒状発射体の先端部の幅（Ｌ１）がＷ１＞Ｌ１で、Ｗ１−Ｌ１≧０．２５ｍｍの関係を有している。【選択図】図１
2019053908.tif 000002
【特許請求の範囲】
【請求項１】
合成樹脂からなるハウジング内において、前記ハウジングの第１端部からハウジンングの軸方向反対側の第２端部に向かって形成された筒状空間内に順に、点火器、合成樹脂からなる棒状発射体、電気回路の一部を形成させるための導体片が配置され、前記ハウジングの第２端部と前記導体片の間に絶縁閉鎖空間を有しており、
前記導体片が、両端側の第１接続部、第２接続部と中間部分の切断部からなる板片であり、前記切断部の面が前記ハウジングの軸方向に直交するハウジンングの幅方向に配置されており、
前記棒状発射体が、先端部のハウジンングの幅方向の断面形状が四角形のもので、前記導体片の切断部の面とハウジンングの軸方向に対向して配置されているものであり、
前記絶縁閉鎖空間が、ハウジンングの幅方向の断面形状が四角形であり、前記導体片に面した開口部、前記開口部とハウジンングの軸方向に対向した閉塞端面、前記開口部と前記閉塞端面の間の４つの側面を有しているものであり、
前記絶縁閉鎖空間の開口部の幅（Ｗ１）と前記棒状発射体の先端部の幅（Ｌ１）がＷ１＞Ｌ１で、Ｗ１−Ｌ１≧０．２５ｍｍの関係を有している、電気回路遮断装置。
【請求項２】
前記絶縁閉鎖空間が、前記開口部の幅（Ｗ１）と前記閉塞端面の幅（Ｗ２）がＷ１＞Ｗ２の関係を有しており、
前記閉塞端面の幅（Ｗ２）と前記棒状発射体の先端部の幅（Ｌ１）がＷ２＜Ｌ１の関係を有しているものである、請求項１記載の電気回路遮断装置。
【請求項３】
前記絶縁閉鎖空間が、前記開口部の幅（Ｗ１）と前記閉塞端面の幅（Ｗ２）がＷ１＞Ｗ２の関係を有し、前記閉塞端面の幅（Ｗ２）と前記棒状発射体の先端部の幅（Ｌ１）がＷ２＜Ｌ１の関係を有しており、前記開口部から前記閉塞端面までの前記４つの側面が連続した傾斜面になっているものである、請求項１記載の電気回路遮断装置。
【請求項４】
前記絶縁閉鎖空間が、前記開口部の幅（Ｗ１）、前記対向する側面間の幅（Ｗ３）および前記閉塞端面の幅（Ｗ２）が、Ｗ１＞Ｗ２＝Ｗ３の関係を有し、前記閉塞端面の幅（Ｗ２）と前記棒状発射体の先端部の幅（Ｌ１）がＷ２＞Ｌ１、かつＷ２−Ｌ１≦０．２５ｍｍの関係を有しており、
前記開口部と前記４つの側面の境界部に幅の差（Ｗ１−Ｗ３）による環状段差部が形成されているものである、請求項１記載の電気回路遮断装置
【請求項５】
前記棒状発射体が、幅の大きな本体部と、前記本体部よりも幅の小さい先端部を有しており、前記本体部と前記先端部の間が傾斜面になっているものであり、
前記絶縁閉鎖空間が、前記開口部の幅（Ｗ１）、対向する側面間の幅（Ｗ３）および前記閉塞端面の幅（Ｗ２）がＷ１＝Ｗ３＝Ｗ２の関係を有しており、
前記閉塞端面の幅（Ｗ２）と前記棒状発射体の先端部の幅（Ｌ１）がＷ２＞Ｌ１の関係を有しており、かつ前記閉塞端面の幅（Ｗ２）と前記棒状発射体の本体部の幅（Ｌ２）がＷ２−Ｌ２≦０．２５ｍｍの関係を有しているものである、請求項１記載の電気回路遮断装置。
【請求項６】
前記棒状発射体が、幅の大きな本体部と、前記本体部よりも幅の小さい先端部を有しており、前記本体部と前記先端部の間が段差面になっているものであり、
前記絶縁閉鎖空間が、前記開口部の幅（Ｗ１）、対向する側面間の幅（Ｗ３）および前記閉塞端面の幅（Ｗ２）がＷ１＝Ｗ３＝Ｗ２の関係を有しており、
前記閉塞端面の幅（Ｗ２）と前記棒状発射体の先端部の幅（Ｌ１）がＷ２＞Ｌ１の関係を有しており、かつ前記閉塞端面の幅（Ｗ２）と前記棒状発射体の本体部の幅（Ｌ２）がＷ２−Ｌ２≦０．２５ｍｍの関係を有しているものである、請求項１記載の電気回路遮断装置。
【発明の詳細な説明】
【技術分野】
【０００１】
本発明は、自動車や家庭電化製品などの電気回路に使用することができる電気回路遮断装置に関する。
【背景技術】
【０００２】
自動車や家庭電化製品などの電気回路自体や前記電気回路を含むシステム全体の異常時などにおいて、電気回路を遮断することで大きな被害を未然に防止する電気回路遮断装置が使用されており、電気自動車の電気回路では電気回路遮断装置の重要性が特に大きくなっている。
電気回路遮断装置は、ハウジング内に点火器、発射体（ピストン）、導体などが収容されたものが知られている（特許文献１〜７）。
【０００３】
特許文献１、２では、ハウジングの材質として、金属、セラミックス、ポリマーが例示されており、特定のポリマーが好ましいと記載されている（特許文献１の２〜３頁、特許文献２の２頁）。
特許文献４では、ケーシング１３はステンレスからなるものである（段落番号００１１）。
特許文献５では、ケース３０は、電気絶縁性を有し、かつ強度の高い材料（例えば樹脂材料）によって形成されている（段落番号００３４）。
ポリマー材料（樹脂材料）を使用したときは、例えば、特許文献１、２、５のそれぞれの図２などからも理解できるとおり、必要な強度を付与する点から、ハウジング（ケーシング）を厚肉にする必要がある。
ステンレスのケーシング１３を使用したときは、質量の増加が大きくなるほか、絶縁ケース１４を組み合わせて配置する必要があるため、構造および組み立てが複雑になる。
特許文献６は、金属製のシリンダーを使用して樹脂製のハウジングを補強することで、特許文献１〜５にはない作用効果が得られている。
特許文献７は、通電状態の導電体が切断されたときに発生するアークを消弧するための消弧室３２が設けられている（特許請求の範囲）。
【先行技術文献】
【特許文献】
【０００４】
【特許文献１】米国特許出願公開第２００５／００８３１６４号明細書
【特許文献２】米国特許出願公開第２００５／００８３１６５号明細書
【特許文献３】米国特許出願公開第２０１２／０２３４１６２号明細書
【特許文献４】特開平１１−２３２９７９号公報
【特許文献５】特開２０１４−４９３００号公報
【特許文献６】特開２０１６−８５９４７号公報
【特許文献７】特開２０１４−４９３００号公報
【発明の概要】
【発明が解決しようとする課題】
【０００５】
本発明は、導体片の切断時にアークが生じたときでも消弧できる電気回路遮断装置を提供することを課題とする。
【課題を解決するための手段】
【０００６】
本発明は、合成樹脂からなるハウジング内において、前記ハウジングの第１端部からハウジンングの軸方向反対側の第２端部に向かって形成された筒状空間内に順に、点火器、合成樹脂からなる棒状発射体、電気回路の一部を形成させるための導体片が配置され、前記ハウジングの第２端部と前記導体片の間に絶縁閉鎖空間を有しており、
前記導体片が、両端側の第１接続部、第２接続部と中間部分の切断部からなる板片であり、前記切断部の面が前記ハウジングの軸方向に直交するハウジンングの幅方向に配置されており、
前記棒状発射体が、先端部のハウジンングの幅方向の断面形状が四角形のもので、前記導体片の切断部の面とハウジンングの軸方向に対向して配置されているものであり、
前記絶縁閉鎖空間が、ハウジンングの幅方向の断面形状が四角形であり、前記導体片に面した開口部、前記開口部とハウジンングの軸方向に対向した閉塞端面、前記開口部と前記閉塞端面の間の４つの側面を有しているものであり、
前記絶縁閉鎖空間の開口部の幅（Ｗ１）と前記棒状発射体の先端部の幅（Ｌ１）がＷ１＞Ｌ１で、Ｗ１−Ｌ１≧０．２５ｍｍの関係を有している、電気回路遮断装置を提供する。
【０００７】
第１実施形態の電気回路遮断装置は、ガソリンまたはディーゼル自動車のバッテリー（リチウムイオンバッテリーなど）、電気自動車の電気回路、家庭電化製品などの様々な電気回路に取り付けて使用して、電気回路に異常が生じたときには、電気回路を遮断できるものである。
第１実施形態の電気回路遮断装置は、単独で前記した各種自動車に取り付けることもできるが、例えば、自動車に搭載されたエアバッグ装置と連動して作動できるようにして取り付けることもできる。このような場合には、エアバッグ装置が搭載された各種自動車が事故を起こしたとき、エアバッグ装置の作動信号を受けて本発明の電気回路遮断装置も作動して電気回路が遮断されるようにすることで、大電流の漏電を防止できる。
【０００８】
ハウジングは合成樹脂からなるものであり、第１端部側からハウジンングの軸方向反対側の第２端部側に向かって形成された筒状空間を有しており、前記筒状空間の第２端部側は導体片を介して絶縁閉鎖空間に繋がっている。
ハウジングの外形は取り付け部位に応じて適宜決定されるものである。
ハウジングは、点火器、発射体、導体片などの部品を収容したり、取り付けたりすることができる形状、構造および大きさのものである。
ハウジングは、第１端部から導体片が設置された部分までの第１ハウジングと、導体片が設置された部分から第２端部までの第２ハウジング（ボトムクリップ）からなるものにすることもできる。
【０００９】
点火器は、公知の電気回路遮断装置で使用されている点火器のほか、自動車のエアバッグ装置で使用するガス発生器用の点火器などである。
点火器は、点火薬を備えた点火部と通電するための導電ピンを備えたものであり、作動時には、外部電源から通電することで点火薬を燃焼させ、燃焼ガスや火炎などの燃焼生成物を発生させるものである。
【００１０】
棒状発射体は、点火器の作動により発生した燃焼生成物の圧力を受けて、ハウジング内を軸方向に移動し、導体片を切断して、電気回路を遮断するためのものである。
棒状発射体は、全体が均一外径（均一幅）のものでもよいし、先端部が他の部分に比べて大きくなっているものでもよいし、小さくなっているものでもよい。
棒状発射体の先端部は、導体片の切断が容易であることから、四角柱形状（ハウジングの幅方向の断面形状が四角形）であり、前記断面形状が正方形のものが好ましい。
棒状発射体は、ハウジングと同じ合成樹脂からなるものを使用することができる。
【００１１】
導体片は、公知の電気回路遮断装置で使用されているものと同じものを使用することができる。
導体片は、両端側の接続部（第１接続部と第２接続部）と中間部分の切断部からなる板片であり、電気回路に取り付けたとき、電気回路の一部を形成するためのものである。
導体片の形状は、ハウジングに対する取り付け部分の形状および構造に対応した板形状になっている。
導体片は、筒状空間と絶縁閉鎖空間の間に配置されている。
【００１２】
ハウジングの絶縁閉鎖空間の開口部の幅（Ｗ１）と棒状発射体の先端部の幅（Ｌ１）は、Ｗ１＞Ｌ１で、Ｗ１−Ｌ１≧０．２５ｍｍの関係を有している。Ｗ１−Ｌ１は０．５ｍｍ以上が好ましく、０．８ｍｍ以上がより好ましく、２ｍｍ以下が好ましく、１．５ｍｍ以下がより好ましい。
絶縁閉鎖空間の開口部の幅（Ｗ１）と棒状発射体の先端部の幅（Ｌ１）が前記関係を有していると、作動時に棒状発射体が導体片の切断部の一面側（ハウジングの第１端部側）を押したとき、それと同時に導体片の切断部の他面側（ハウジングの第２端部側）が絶縁閉鎖空間の開口部と４つの側面部の境界部の角部に当たった状態で押し込まれるようになるため、切断されやすくなる。このため、棒状発射体に圧力を加える点火器の出力を小さくすることができるようになり、電気回路遮断装置自体も小型化ができるようになる。
【００１３】
本発明の電気回路遮断装置の好ましい実施形態は、前記絶縁閉鎖空間が、前記開口部の幅（Ｗ１）と前記閉塞端面の幅（Ｗ２）がＷ１＞Ｗ２の関係を有しており、
前記閉塞端面の幅（Ｗ２）と前記棒状発射体の先端部の幅（Ｌ１）がＷ２＞Ｌ１の関係を有しているものである。
【００１４】
Ｗ２＞Ｌ１の関係を有していることで、導体片が切断されたときにアークが発生しても消弧され易くなっている。
【００１５】
本発明の電気回路遮断装置の好ましい別の実施形態は、前記絶縁閉鎖空間が、前記開口部の幅（Ｗ１）と前記閉塞端面の幅（Ｗ２）がＷ１＞Ｗ２の関係を有し、前記閉塞端面の幅（Ｗ２）と前記棒状発射体の先端部の幅（Ｌ１）がＷ２＞Ｌ１の関係を有しており、
前記開口部から前記閉塞端面までの前記４つの側面が連続した傾斜面になっているものである。
【００１６】
Ｗ１＞Ｗ２、Ｗ２＞Ｌ１の関係を有しており、４つの側面が傾斜面になっていることで、作動時における棒状発射体の運動エネルギーを徐々に吸収できると共に、導体片が切断されたときにアークが発生しても消弧され易くなっている。
【００１７】
本発明の電気回路遮断装置の好ましいさらに別の実施形態は、前記絶縁閉鎖空間が、前記開口部の幅（Ｗ１）、前記対向する側面間の幅（Ｗ３）および前記閉塞端面の幅（Ｗ２）が、Ｗ１＞Ｗ２＝Ｗ３の関係を有し、前記閉塞端面の幅（Ｗ２）と前記棒状発射体の先端部の幅（Ｌ１）がＷ２＞Ｌ１、かつＷ２−Ｌ１≦０．２５ｍｍの関係を有しており、
前記開口部と前記４つの側面の境界部に幅の差（Ｗ１−Ｗ３）による環状段差部が形成されているものである。
【００１８】
Ｗ１＞Ｗ２、Ｗ２＞Ｌ１、Ｗ２−Ｌ１≦０．２５ｍｍの関係を有していることで、導体片が切断されたときにアークが発生しても消弧され易くなっている。
【００１９】
本発明の電気回路遮断装置の好ましいさらに別の実施形態は、前記棒状発射体が、幅の大きな本体部と、前記本体部よりも幅の小さい先端部を有しており、前記本体部と前記先端部の間が傾斜面になっているものであり、
前記絶縁閉鎖空間が、前記開口部の幅（Ｗ１）、対向する側面間の幅（Ｗ３）および前記閉塞端面の幅（Ｗ２）がＷ１＝Ｗ３＝Ｗ２の関係を有しており、
前記閉塞端面の幅（Ｗ２）と前記棒状発射体の先端部の幅（Ｌ１）がＷ２＞Ｌ１の関係を有しており、かつ前記閉塞端面の幅（Ｗ２）と前記棒状発射体の本体部の幅（Ｌ２）がＷ２−Ｌ２≦０．２５ｍｍの関係を有しているものである。
【００２０】
Ｗ１＝Ｗ３＝Ｗ２、Ｗ２＞Ｌ１、Ｗ２−Ｌ２≦０．２５ｍｍの関係を有していることで、導体片が切断されたときにアークが発生しても消弧され易くなっている。
【００２１】
本発明の電気回路遮断装置の好ましいさらに別の実施形態は、前記棒状発射体が、幅の大きな本体部と、前記本体部よりも幅の小さい先端部を有しており、前記本体部と前記先端部の間が段差面になっているものであり、
前記絶縁閉鎖空間が、前記開口部の幅（Ｗ１）、対向する側面間の幅（Ｗ３）および前記閉塞端面の幅（Ｗ２）がＷ１＝Ｗ３＝Ｗ２の関係を有しており、
前記閉塞端面の幅（Ｗ２）と前記棒状発射体の先端部の幅（Ｌ１）がＷ２＞Ｌ１の関係を有しており、かつ前記閉塞端面の幅（Ｗ２）と前記棒状発射体の本体部の幅（Ｌ２）がＷ２−Ｌ２≦０．２５ｍｍの関係を有しているものである。
【００２２】
Ｗ１＝Ｗ３＝Ｗ２、Ｗ２＞Ｌ１、Ｗ２−Ｌ２≦０．２５ｍｍの関係を有していることで、導体片が切断されたときにアークが発生しても消弧され易くなっている。
【発明の効果】
【００２３】
本発明の電気回路遮断装置は、作動時において導体片が棒状発射体と絶縁閉鎖空間の開口部の角部の両方からの作用を受けて切断され易くなっているため、棒状発射体に圧力を加えるための点火器の出力を小さくすることができる。
【図面の簡単な説明】
【００２４】
【図１】（ａ）は本発明の電気回路遮断装置の軸方向断面図、（ｂ）は（ａ）の部分断面図、（ｃ）は（ｂ）に対応する従来技術の断面図。
【図２】図１（ａ）の電気回路遮断装置とは別実施形態の軸方向断面図。
【図３】図１（ａ）の電気回路遮断装置とはさらに別実施形態の軸方向断面図。
【図４】図１（ａ）の電気回路遮断装置とはさらに別実施形態の軸方向断面図。
【図５】図１（ａ）の電気回路遮断装置とはさらに別実施形態の軸方向断面図。
【図６】図１（ａ）の電気回路遮断装置とはさらに別実施形態の軸方向断面図。
【発明を実施するための形態】
【００２５】
（１）図１の電気回路遮断装置１
合成樹脂からなるハウジング（樹脂ハウジング）１０は、第１端部１１からハウジング軸方向反対側の第２端部１２側の導体片５０まで貫通された筒状空間１３を有している。
筒状空間１３の第１端部１１側には、使用時において点火器２０と電源をリードワイヤで接続するためのコネクタ嵌め込み部１５が取り付けられている。
筒状空間１３内には、第１端部１１側から第２端部１２側に順に点火器２０、合成樹脂からなる棒状発射体４０、導体片５０が配置されている。ハウジング１０、筒状空間１３、点火器２０、棒状発射体４０は、それぞれの中心軸が一致するように配置されている。
【００２６】
点火器２０は、点火部２１と導電ピン２３を有する点火器本体の一部が樹脂で包囲された樹脂部２２を有しており、樹脂部２２から点火部２１が突き出されたものである。
【００２７】
棒状発射体４０は、筒状空間１３内を移動できるように配置されているもので、先端部４１のハウジンングの幅方向の断面形状が正方形のものである。
棒状発射体４０は、先端部４１を除いた部分の断面形状は特に制限されるものではない。
ハウジング１０と棒状発射体４０の間には、必要に応じて、ハウジング１０を補強するためのシリンダーを配置することができる。シリンダーは、ステンレス、アルミニウムなどの金属、炭素繊維強化樹脂などの繊維強化樹脂からなるものが好ましい。
【００２８】
導体片５０は、電気回路遮断装置１を電気回路に取り付けたとき、電気回路の一部を形成させるためのものである。
導体片５０は、両端側の第１接続部５１、第２接続部５２と中間部分の切断部５３からなる板片である。
第１接続部５１（第１接続部５１の穴５１ａ）と第２接続部５２（第２接続部５２の穴５２ａ）は、電気回路において他の導体（例えば、リードワイヤ）と接続するためのものであり、切断部５３は、作動時において切断されて電気回路を遮断できるようにするためのものである。
導体片５０は、切断部５３の面がハウジング１０の幅方向に配置されている。
導体片５０の切断部５３の面は、棒状発射体４０の先端部４１と対向している。図１では、切断部５３の面と先端部４１が当接されているが、間隔をおいて対向されていてもよい。
【００２９】
導体片５０とハウジングの第２端部１２の間には、絶縁閉鎖空間６０が形成されている。
絶縁閉鎖空間６０は、ハウジンングの幅方向の断面形状が正方形のものであり、導体片５０に面した開口部６１、開口部６１とハウジンングの軸方向に対向した閉塞端面６２、開口部６１と閉塞端面６２の間の４つの側面６３を有している。
開口部６１と４つの側面６３との境界部分には、約９０度の角部６４が形成されている。
絶縁閉鎖空間６０の開口部６１の幅（Ｗ１）と棒状発射体４０の先端部４１の幅（Ｌ１）はＷ１＞Ｌ１およびＷ１−Ｌ１＝１ｍｍの関係を有している。
絶縁閉鎖空間６０は、開口部６１の幅（Ｗ１）、対向する二つの側面６３の間の幅（Ｗ３）、閉塞端面６２の幅（Ｗ２）がＷ１＝Ｗ３＝Ｗ２となっている。
【００３０】
図１に示す電気回路遮断装置は、金型内に導体片５０を配置した状態で射出成形した後、筒状空間１３の一端側から必要な部品を挿入して製造する方法のほか、金型内に導体片を配置した状態で射出成形して、第１端部１１から導体片５０が設置された部分までの第１ハウジングを成形した後、筒状空間１３の両端側から必要な部品を挿入したものを再度金型内に配置した状態で射出成形して、導体片５０が設置された部分から第２端部１２までの第２ハウジング（ボトムクリップ）を成形して製造する方法を適用することができる。
【００３１】
次に、図１に示す電気回路遮断装置１を電気自動車の電気回路（バッテリー）の一部に配置したときの動作を説明する。
図１に示す電気回路遮断装置１は、異常電流を検知するセンサーなどと組み合わせて、例えば電気回路に異常電流が流れたときに自動的に作動を開始するようにすることができるほか、人為的に作動するようにすることもできる。
【００３２】
電気回路遮断装置１を電気回路に配置するときは、導体片５０の第１接続部５１の穴５１ｂと第２接続部５２の穴５２ａにおいて電気回路を構成するリードワイヤと接続する。
電気回路に異常が生じたときには、点火器２０が作動して、点火部２１から燃焼生成物が発生する。
点火部２１から発生した燃焼生成物は筒状空間１３内を直進して、棒状発射体４０に衝突する。
【００３３】
燃焼生成物による圧力を受けた棒状発射体４０の先端部４１は、軸方向に移動して、導体片５０の切断部５３を切断する。
このとき、図１（ａ）、（ｂ）に示すとおり、Ｗ１＞Ｌ１およびＷ１−Ｌ１＝１ｍｍの関係を有していることから、作動時に棒状発射体４０の先端部４１が導体片５０の切断部５３を押したとき、それと同時に導体片５０の切断部５３が開口部６１と４つの側面６３の境界部の角部６４に当たった状態で押し込まれるようになるため、切断部５３はハウジンングの軸方向の両側からの作用を受けて容易に切断される。このため、棒状発射体４０に圧力を加える点火器２０の出力を小さくすることができるようになり、電気回路遮断装置１自体も小型化ができるようになる。
なお、Ｗ１＝Ｌ１の場合、またはＷ１＞Ｌ１であるが、Ｗ１−Ｌ１＜０．５ｍｍの場合には、図１（ｃ）に示すような状態になって切断され難くなるため、導体片５０を切断するためにより大きな力（より大きな点火器の出力）が必要になる。
【００３４】
その後、棒状発射体の先端部４１と切断部５３の切断片が閉塞端面６２まで移動して電気絶縁的に保持される。
この動作により導体片５０の両端にある第１接続部５１と第２接続部５２は電気的に不通状態となるため、装置１を配置した電気回路は遮断される。
【００３５】
（２）図２の電気回路遮断装置１Ａ
図２に示す電気回路遮断装置１Ａは、絶縁空間160の形状が異なるほかは、図１に示す電解回路手段装置１と同じものである。
導体片５０とハウジングの第２端部１２の間には、絶縁閉鎖空間160が形成されている。
絶縁閉鎖空間160は、ハウジンングの幅方向の断面形状が正方形のものであり、導体片５０に面した開口部161、開口部161とハウジンングの軸方向に対向した閉塞端面162、開口部161と閉塞端面162の間の４つの側面163を有している。
開口部161と４つの側面163との境界部分は約８０度〜約９０度未満の角部が形成されている。
【００３６】
絶縁閉鎖空間160は、開口部161の幅（Ｗ１）と閉塞端面162の幅（Ｗ２）がＷ１＞Ｗ２の関係を有しており、開口部161から閉塞端面162までの４つの側面163は、連続した傾斜面になっている。
絶縁閉鎖空間160の開口部161の幅（Ｗ１）と棒状発射体４０の先端部の幅（Ｌ１）はＷ１＞Ｌ１およびＷ１−Ｌ１＝１ｍｍの関係を有しており、閉塞端面162の幅（Ｗ２）と棒状発射体の先端部141の幅（Ｌ１）はＷ２＜Ｌ１の関係を有している。
【００３７】
図２の電気回路遮断装置１Ａの点火器２０が作動して、燃焼生成物による圧力を受けた棒状発射体４０の先端部４１は、軸方向に移動して、導体片５０の切断部５３を切断する。
このとき、Ｗ１＞Ｌ１およびＷ１−Ｌ１＝１ｍｍの関係を有していることから、作動時に棒状発射体４０の先端部４１が導体片５０の切断部５３を押したとき、それと同時に導体片５０の切断部５３が開口部161と４つの側面163の境界部の角部に当たった状態で押し込まれるようになるため、ハウジンングの軸方向の両側からの作用を受けて容易に切断される。このため、棒状発射体４０に圧力を加える点火器２０の出力を小さくすることができるようになり、電気回路遮断装置１自体も小型化ができるようになる。
【００３８】
その後、棒状発射体の先端部４１と切断部５３の切断片が閉塞端面162まで移動して電気絶縁的に保持される。
この動作により導体片５０の両端にある第１接続部５１と第２接続部５２は電気的に不通状態となるため、装置１を配置した電気回路は遮断される。
このような過程にて導体片５０が切断され、第１接続部５１と第２接続部５２の間にアークが発生した場合でも、Ｗ２＜Ｌ１の関係を有しているため、アークは消弧される。
また棒状発射体４０は、開口部161から閉塞端面162に向かって徐々に側面（傾斜面）163との接触強度を高めながら直進するため、運動エネルギーが徐々に吸収され、ハウジング１０に対する衝撃が緩和される。このため、ハウジング１０の小型化と装置１Ａの小型化ができるようになる。
【００３９】
（３）図３の電気回路遮断装置１Ｂ
図３に示す電気回路遮断装置１Ｂは、絶縁空間260の形状が異なるほかは、図１に示す電解回路手段装置１と同じものである。
絶縁閉鎖空間260は、開口部261の幅（Ｗ１）、対向する側面263間の幅（Ｗ３）および閉塞端面262の幅（Ｗ２）が、Ｗ１＞Ｗ２＝Ｗ３の関係を有している。
このため、開口部261と４つの側面263の境界部に、それらの幅の差（Ｗ１−Ｗ３）による環状段差部264が形成されている。
さらに絶縁閉鎖空間260は、閉塞端面262の幅（Ｗ２）と棒状発射体４０の先端部４１の幅（Ｌ１）がＷ２＞Ｌ１、かつＷ２−Ｌ１≦０．２５ｍｍの関係を有している。
絶縁空間260の開口部261と４つの側面263との境界部分は約９０度の角部が形成されている。
【００４０】
図３の電気回路遮断装置１Ｂの点火器２０が作動して、燃焼生成物による圧力を受けた棒状発射体４０の先端部４１は、軸方向に移動して、導体片５０の切断部５３を切断する。
このとき、Ｗ１＞Ｌ１およびＷ１−Ｌ１＝１ｍｍの関係を有していることから、作動時に棒状発射体４０の先端部４１が導体片５０の切断部５３を押したとき、それと同時に導体片５０の切断部５３が開口部261と４つの側面263の境界部の角部に当たった状態で押し込まれるようになるため、ハウジンングの軸方向の両側からの作用を受けて容易に切断される。このため、棒状発射体４０に圧力を加える点火器２０の出力を小さくすることができるようになり、電気回路遮断装置１自体も小型化ができるようになる。
【００４１】
その後、棒状発射体の先端部４１と切断部５３の切断片が閉塞端面262まで移動して電気絶縁的に保持される。
この動作により導体片５０の両端にある第１接続部５１と第２接続部５２は電気的に不通状態となるため、装置１Ｂを配置した電気回路は遮断される。
このような過程にて導体片５０が切断され、第１接続部５１と第２接続部５２の間にアークが発生した場合でも、Ｗ２＞Ｌ１、かつＷ２−Ｌ１≦０．２５ｍｍの関係を有しているため、アークは消弧される。
【００４２】
（４）図４の電気回路遮断装置１Ｃ
図４に示す電気回路遮断装置１Ｃは、棒状発射体140の先端部141の形状の形状が異なるほかは、図１に示す電気回路遮断装置１と同じものである。
棒状発射体140は、幅の大きな本体部141と、先端面143に向かって連続的に幅が小さくなった傾斜先端部142を有している。
先端面143を含む傾斜先端部142のハウジンングの幅方向の断面形状は正方形であり、先端面143の幅がＬ１である。
【００４３】
図４の電気回路遮断装置１Ｃの点火器２０が作動して、燃焼生成物による圧力を受けた棒状発射体140の先端面143は、軸方向に移動して、導体片５０の切断部５３を切断する。
このとき、Ｗ１＞Ｌ１およびＷ１−Ｌ１＝１ｍｍの関係を有していることから、作動時に棒状発射体140の先端面143が導体片５０の切断部５３を押したとき、それと同時に導体片５０の切断部５３が開口部６１と４つの側面６３の境界部の角部に当たった状態で押し込まれるようになるため、ハウジンングの軸方向の両側からの作用を受けて容易に切断される。このため、棒状発射体140に圧力を加える点火器２０の出力を小さくすることができるようになり、電気回路遮断装置１自体も小型化ができるようになる。
【００４４】
その後、棒状発射体の先端面143と切断部５３の切断片が閉塞端面６２まで移動して電気絶縁的に保持される。
この動作により導体片５０の両端にある第１接続部５１と第２接続部５２は電気的に不通状態となるため、装置１Ｃを配置した電気回路は遮断される。
このような過程にて導体片５０が切断され、第１接続部５１と第２接続部５２の間にアークが発生した場合でも、Ｗ２＞Ｌ１、かつＷ２−Ｌ１≦０．２５ｍｍの関係を有しているため、アークは消弧される。
【００４５】
（５）図５の電気回路遮断装置１Ｄ
図５に示す電気回路遮断装置１Ｄは、棒状発射体240の形状が異なるほかは、図１に示す電気回路遮断装置１と同じものである。
棒状発射体240は、幅の大きな本体部241と、本体部241よりも幅の小さい先端部242を有しており、本体部241と先端部242の間が段差面243になっている。先端部241のハウジンングの幅方向の断面形状は正方形であり、先端部242の幅がＬ１である。
【００４６】
図５の電気回路遮断装置１Ｄの点火器２０が作動して、燃焼生成物による圧力を受けた棒状発射体240の先端部242は、軸方向に移動して、導体片５０の切断部５３を切断する。
このとき、Ｗ１＞Ｌ１およびＷ１−Ｌ１＝１ｍｍの関係を有していることから、作動時に棒状発射体240の先端部242が導体片５０の切断部５３を押したとき、それと同時に導体片５０の切断部５３が開口部６１と４つの側面６３の境界部の角部に当たった状態で押し込まれるようになるため、ハウジンングの軸方向の両側からの作用を受けて容易に切断される。このため、棒状発射体240に圧力を加える点火器２０の出力を小さくすることができるようになり、電気回路遮断装置１自体も小型化ができるようになる。
【００４７】
その後、棒状発射体240の先端部242と切断部５３の切断片が閉塞端面６２まで移動して電気絶縁的に保持される。
この動作により導体片５０の両端にある第１接続部５１と第２接続部５２は電気的に不通状態となるため、装置１Ｄを配置した電気回路は遮断される。
このような過程にて導体片５０が切断され、第１接続部５１と第２接続部５２の間にアークが発生した場合でも、Ｗ２＞Ｌ２、かつＷ２−Ｌ２≦０．２５ｍｍの関係を有しているため、アークは消弧される。
【００４８】
（６）図６の電気回路遮断装置１Ｅ
図６に示す電気回路遮断装置１Ｅは、図１に示す電気回路遮断装置１とは棒状発射体340の形状、筒状空間313の形状、導体片350の形状が異なっており、さらにシリンダー330が使用されているほかは、実質的に図１に示す電気回路遮断装置１と同じものである。
【００４９】
合成樹脂からなるハウジング（樹脂ハウジング）310は、第１端部311から第２端部312側の導体片350まで貫通された筒状空間313を有している。
筒状空間313は、第１端部側の大径筒状空間313aと第２端部312側の小径筒状空間313bを有している。
【００５０】
棒状発射体340は、基礎部341とロッド部345を有しており、基礎部341の外径はロッド部345の外径よりも大きくなっている。基礎部341のハウジング幅方向の断面形状は円形であり、ロッド部345のハウジング幅方向の断面形状は四角形である。
基礎部341は、点火器320に面した第１基礎部342、ロッド部345と接した第３基礎部344、中間にある第２基礎部343を有している。
第１基礎部342の点火器320側の面は、中心部が最も深い凹部曲面状になっており、点火器320が作動して生じた圧力を受け取り取りやすくなっている。
第1基礎部342と第３基礎部344の外径は同程度であり、シリンダー330の内周面に当接されている。
第２基礎部343の外径は第1基礎部342と第３基礎部344より小さくなっているため、外径差に起因して形成された第２基礎部343の周囲の環状空間にはＯリング346が配置されている。
【００５１】
シリンダー330は、ハウジング310を補強するためのものであり、ステンレス、アルミニウムなどの金属、炭素繊維強化樹脂などの繊維強化樹脂からなるものである。シリンダー330のハウジング幅方向の断面形状は円形である。
シリンダー330は、点火器320の点火部321と発射体340を包囲し、筒状空間313内に圧入されることで軸方向に移動しないように固定されている。
シリンダー330は、点火器320の点火部321と発射体340を包囲し、筒状空間313内に圧入されることで軸方向に移動しないように固定されている。
シリンダー330の第２端部330a側には、所定間隔で入れられた２本の切り込み部分が等間隔で複数箇所形成されている。所定間隔で入れられた２本の切り込み部分は内側に折り曲げられることで、折り曲げられた部分がロッド部345のガイド部331として機能している。
【００５２】
導体片350は、装置１Ｅを電気回路に取り付けたとき、電気回路の一部を形成させるためのものである。
導体片350は、両端側の第１接続部351、第２接続部352と中間部分の切断部353からなる板片である。
第１接続部351と第２接続部352は、電気回路において他の導体（例えば、リードワイヤ）と接続するためのものであり、切断部353は、作動時において切断されて電気回路を遮断できるようにするためのものである。
【００５３】
導体片350は、切断部353の面がハウジング310の軸方向に直交して配置されている。
導体片350の切断部353の面は、発射体340のロッド部345の先端面と対向している。図３では、切断部353の面とロッド部345の先端面が当接されているが、間隔をおいて対向されていてもよい。
【００５４】
導体片350とハウジングの第２端部312の間には、図１の絶縁空間６０に対応する絶縁閉鎖空間360が形成されている。
絶縁閉鎖空間360は、ハウジンングの幅方向の断面形状が正方形のものであり、導体片350に面した開口部361、開口部361とハウジンングの軸方向に対向した閉塞端面362、開口部361と閉塞端面362の間の４つの側面363を有している。
開口部361と４つの側面363との境界部分には、約９０度の角部364が形成されている。
【００５５】
絶縁閉鎖空間360の幅（対向する側面363の間隔）（Ｗ１）と棒状発射体340のロッド部345の幅（Ｌ１）は、Ｗ１＞Ｌ１およびＷ１−Ｌ１＝１ｍｍの関係を有している。
【００５６】
図６に示す電気回路遮断装置１Ｅは、金型内に導体片を配置した状態で射出成形した後、筒状空間313の一端側から必要な部品を挿入して製造する方法のほか、金型内に導体片を配置した状態で射出成形して、第１端部311から導体片350が設置された部分までの第１ハウジングを成形した後、筒状空間313の両端側から必要な部品を挿入したものを再度金型内に配置した状態で射出成形して、導体片350が設置された部分から第２端部312までの第２ハウジング（ボトムクリップ）を成形して製造する方法を適用することができる。
【００５７】
図６の電気回路遮断装置１Ｅ100が作動すると、図１に示す電気回路遮断装置１と同様に動作して導体片130が切断され、導体片350の両端にある第１接続部351と第２接続部352は電気的に不通状態となるため、装置１Ｅを配置した電気回路は遮断される。
図６の実施形態では、Ｗ１＞Ｌ１およびＷ１−Ｌ１＝１ｍｍの関係を有していることから、作動時に棒状発射体340の先端部が導体片150の切断部153を押したとき、それと同時に導体片350の切断部353が開口部361と４つの側面363の境界部の角部364に当たった状態で押し込まれるようになるため、切断部353はハウジンングの軸方向の両側からの作用を受けて容易に切断される。このため、棒状発射体340に圧力を加える点火器320の出力を小さくすることができるようになり、電気回路遮断装置１Ｅ自体も小型化ができるようになる。
【産業上の利用可能性】
【００５８】
本発明の電気回路遮断装置は、各種電気回路、例えば、自動車のバッテリー（例えば、リチウムイオンバッテリー）を含む電気回路用、電気自動車の電気回路用および家庭電化製品の電気回路用として適しているが、特に自動車のバッテリー（例えば、リチウムイオンバッテリー）を含む電気回路用として適している。
【符号の説明】
【００５９】
１  電気回路遮断装置
１０  ハウジング
１３  筒状空間
２０  点火器
４０  棒状発射体
４１  先端部
５０  導体片
５１  第１接続部
５２  第２接続部
５３  切断部
【図１】
2019053908.tif 000003
【図２】
2019053908.tif 000004
【図３】
2019053908.tif 000005
【図４】
2019053908.tif 000006
【図５】
2019053908.tif 000007
【図６】
2019053908.tif 000008